(57)【要約】【課題】画像形成装置の構成を簡略化する。【解決手段】画像形成装置１のプリンタ機構１０では、ポリゴンモータ１８３により回転させられているポリゴンミラー１８２が、光源であるレーザダイオード１８１からのレーザ光を反射することにより、感光ドラム１１の円周面１１ａをレーザ光で走査している。このレーザ光による走査により円周面１１ａに形成された静電潜像を現像することにより得られたトナー画像は、転写器１４により円周面１１ａから記録シートへ転写される。転写電圧決定部３１２は、時間計測部３１１により計測された、ポリゴンモータ１８３の起動から回転が安定するまでの所要時間Ｔに基づいて、転写器１４に印加する転写電圧Ｖｔｒを決定する。【選択図】図２
2006317523.tif 000002
【特許請求の範囲】
【請求項１】
画像形成装置であって、
レーザ光で走査された走査面に静電潜像が形成される感光体と、
光源からのレーザ光を回転しながら反射することにより、前記走査面をレーザ光で走査するポリゴンミラーと、
前記ポリゴンミラーを回転させるポリゴンモータと、
前記走査面に形成された静電潜像をトナーで現像する現像器と、
前記現像器による現像で得られたトナー画像を前記走査面から記録媒体へ転写する転写器と、
前記ポリゴンモータの起動から回転が安定するまでの所要時間を計測する時間計測手段と、
前記時間計測手段が計測した時間に基づいて、前記転写器に印加する転写電圧を決定する転写電圧決定手段と、
を備えることを特徴とする画像形成装置。
【請求項２】
請求項１に記載の画像形成装置において、
前記ポリゴンモータへ供給される電流を検出する電流検出手段をさらに備え、
前記時間計測手段は、前記ポリゴンモータへの電流の供給開始から前記ポリゴンモータへ供給される電流が安定するまでの時間を、前記所要時間とすることを特徴とする画像形成装置。
【請求項３】
請求項１又は請求項２に記載の画像形成装置において、
前記転写電圧決定手段が、前記所要時間と前記転写電圧との関係を記述したルックアップテーブルに基づいて、前記転写電圧を決定することを特徴とする画像形成装置。
【発明の詳細な説明】
【技術分野】
【０００１】
本発明は、電子写真方式の画像形成装置に関する。
【背景技術】
【０００２】
電子写真方式の画像形成装置では、感光ドラムの円周面に形成された静電潜像をトナーで現像し、現像により得られたトナー画像を当該円周面から記録媒体へ転写することにより、記録媒体上にトナー画像を形成している。トナー画像の転写は、記録媒体の搬送路を挟むように感光ドラムに対向して設けられた転写ローラに電圧を印加することにより行われることが多い。
【０００３】
一方、転写ローラの電気抵抗は温度によって変化するので、記録媒体上に形成されるトナー画像の品質を向上するためには、トナー画像の転写時に転写ローラに印加する転写電圧を温度に応じて変化させることが望ましい。例えば、特許文献１の画像形成装置では、温度センサが検出した温度に応じて転写ローラに印加する転写電圧を変化させている。
【０００４】
【特許文献１】特開平１１−３０５５７６号公報
【発明の開示】
【発明が解決しようとする課題】
【０００５】
しかし、特許文献１の技術では、転写電圧の決定のために温度センサを設ける必要があるため、画像形成装置の構成が複雑になりコスト増を招くという問題があった。
【０００６】
本発明は、この問題を解決するためになされたもので、画像形成装置の構成を簡略化することを目的とする。
【課題を解決するための手段】
【０００７】
請求項１の発明は、画像形成装置であって、レーザ光で走査された走査面に静電潜像が形成される感光体と、光源からのレーザ光を回転しながら反射することにより、前記走査面をレーザ光で走査するポリゴンミラーと、前記ポリゴンミラーを回転させるポリゴンモータと、前記走査面に形成された静電潜像をトナーで現像する現像器と、前記現像器による現像で得られたトナー画像を前記走査面から記録媒体へ転写する転写器と、前記ポリゴンモータの起動から回転が安定するまでの所要時間を計測する時間計測手段と、前記時間計測手段が計測した時間に基づいて、前記転写器に印加する転写電圧を決定する転写電圧決定手段とを備える。
【０００８】
請求項２の発明は、請求項１に記載の画像形成装置において、前記ポリゴンモータへ供給される電流を検出する電流検出手段をさらに備え、前記時間計測手段は、前記ポリゴンモータへの電流の供給開始から前記ポリゴンモータへ供給される電流が安定するまでの時間を、前記所要時間とする。
【０００９】
請求項３の発明は、請求項１又は請求項２に記載の画像形成装置において、前記転写電圧決定手段が、前記所要時間と前記転写電圧との関係を記述したルックアップテーブルに基づいて、前記転写電圧を決定する。
【発明の効果】
【００１０】
請求項１ないし請求項３の発明によれば、ポリゴンモータの起動から回転が安定するまでの所要時間に基づいて転写電圧が決定されるので、転写電圧の決定のために温度センサを設ける必要がなくなり、画像形成装置の構成を簡略化可能である。
【００１１】
請求項３の発明によれば、転写電圧を容易に決定可能になる。
【発明を実施するための最良の形態】
【００１２】
本発明の実施形態に係る画像形成装置１は、スキャン機能、プリント機能、ファクシミリ機能及びコピー機能を有する複合機である。画像形成装置１は、記録シート上にトナー画像を形成する電子写真方式のプリンタ機構１０を備え、プリンタ機構１０に含まれる転写器１４に印加する転写電圧Ｖｔｒを画像形成装置１の内部の温度（以下では、「機内温度」とも称する）に応じて変更可能である。以下では、この画像形成装置１の構成及び動作について順次説明する。
【００１３】
＜１  構成＞
＜１．１  全体構成＞
図１は、本発明の実施形態に係る画像形成装置１の全体構成を示すブロック図である。
【００１４】
図１に示すように、画像形成装置１に内蔵されるプリンタ機構１０は、感光ドラム１１の円周面１１ａに形成された静電潜像を現像して得られるトナー画像を記録シート上に転写することにより、当該記録シート上にトナー画像を形成する。プリンタ機構１０では、記録シートとして、記録紙の他、ＯＨＰフィルム等の各種記録媒体を使用可能である。
【００１５】
プリンタ機構１０は、感光ドラム１１の他に、感光ドラム１１の円周面１１ａをレーザ光で走査するＬＳＵ（レーザスキャンユニット）１８を備え、レーザプリンタの要部として機能している。ＬＳＵ１８は、より詳細には、レーザダイオード１８１、ポリゴンミラー１８２、ポリゴンモータ１８３、ポリゴンモータドライバ１８４、ビームディテクト１８５及びｆ−θレンズ１８６を備えて構成される。ＬＳＵ１８では、ポリゴンモータ１８３により回転させられているポリゴンミラー１８２が、光源であるレーザダイオード１８１からのレーザ光を反射することにより、円周面１１ａをレーザ光で走査している。ここで、レーザダイオード１８１から放射されるレーザ光は、形成すべき画像の基礎となる画像データによって変調されているので、レーザ光による走査により、円周面１１ａには、形成すべき画像に係る静電潜像が形成される。なお、ポリゴンモータ１８３の駆動電力は、プリンタ機構制御回路３１に制御されるポリゴンモータドライバ１８４から供給される。また、ｆ−θレンズ１８６は、ポリゴンミラー１８２が反射したレーザ光を円周面１１ａに結像させ、ビームディテクト１８５は、ポリゴンミラー１８２が反射したレーザ光を検出する。
【００１６】
画像形成装置１のプリント用ＣＯＤＥＣ２１、ページメモリ２２及びプリント用画像処理回路２３は、画像データに基づく画像をプリンタ機構１０に形成させるために設けられる。プリント用ＣＯＤＥＣ２１は、プリンタ機構１０に形成させる画像の基礎となる画像データを復号する。プリント用ＣＯＤＥＣ２１により復号された画像データは、ページメモリ２２に展開される。プリント用画像処理回路２３は、復号された画像データに解像度変換やスムージング等の画像処理を施し、当該画像データに基づいてレーザダイオード１８１を制御する。
【００１７】
画像形成装置１のプリンタ機構制御回路３１は、プリンタ機構１０の各部を制御する。
【００１８】
さらに、画像形成装置１は、ＮＣＵ（網制御装置；Network Control Unit）４１、ＭＯＤＥＭ（モデム；MOdulator DEModulator）４２、通信／読取用ＣＯＤＥＣ４３及びスキャナ４４を備える。ＮＣＵ４１は、一般公衆電話網（ＰＳＴＮ；Public Switched Telephone Networks）への接続を制御する。ＮＣＵ４１は、通信先の電話番号（ＦＡＸ番号を含む）に対応したダイヤル信号を送出する機能及び着信を検出する機能を備える。ＭＯＤＥＭ４２は、ＩＴＵ（国際電気通信連合）−Ｔ勧告Ｔ.３０にしたがったファクシミリ伝送制御手順に基づいて、Ｖ．１７，Ｖ．２７ｔｅｒ，Ｖ．２９等にしたがった送信データの変調及び受信データの復調を行う。又は、ＭＯＤＥＭ４２は、これらに加えて、Ｖ．３４にしたがった送信データの変調及び受信データの復調を行う。ＭＯＤＥＭ４２によって変調された送信データは、ＮＣＵ４１を経由してＰＳＴＮへ送出される。また、ＭＯＤＥＭ４２が復調を行う受信データは、ＮＣＵ４１を経由してＰＳＴＮから与えられる。通信／読取用ＣＯＤＥＣ４３は、画像データをＭＨ，ＭＲ及びＭＭＲ方式等により符号化（エンコード）するとともに、ＭＯＤＥＭ４２によって復調された受信データを復号（デコード）する。スキャナ４４は、ＣＣＤ（Charge Coupled Device）イメージセンサ等により原稿画像を読み取り、当該原稿画像に係る画像データを生成する。
【００１９】
画像形成装置１には、ユーザインターフェースとして、操作部５１及び表示部５２が設けられる。操作部５１は、メカニカルスイッチ等の操作者の操作を検出可能な部材を含んで構成され、表示部５２は、液晶ディスプレイ等の表示用の部材を含んで構成される。
【００２０】
図１に示すように、画像形成装置１は、ＭＰＵ６１（マイクロプロセッサ；MicroProcessor Unit）、ＲＯＭ６２及びＲＡＭ６３を備える。ＭＰＵ６１、ＲＯＭ６２及びＲＡＭ６３によって実現されるコンピュータは、ＲＯＭ６２に格納されたプログラムを実行することにより、画像形成装置１の各構成を統括制御し、画像形成装置１の各種機能を実現している。また、画像形成装置１は、画像データの記憶に用いられる画像メモリ６４を備えている。
【００２１】
＜１．２  プリンタ機構及びプリンタ機構制御回路＞
以下では、プリンタ機構１０及びプリンタ機構制御回路３１のより詳細な構成について、図２を参照しながら説明する。
【００２２】
図２に示すように、プリンタ機構１０は、ＬＳＵ１８と、感光ドラム１１と、帯電コロナチャージャ１２と、現像器１３と、転写器１４と、定着器１５とを備える。
【００２３】
ＬＳＵ１８のポリゴンモータ１８３の回転状態は、回転状態検出部１８７によって検出され、プリンタ機構制御回路３１に取り込まれる。プリンタ機構制御回路３１の時間計測部３１１は、プリンタ機構制御回路３１に取り込まれた回転状態検出部１８７の検出結果を監視して、ポリゴンモータ１８３の起動（回転開始）から回転が安定するまでの所要時間Ｔ（図３参照）を計測する。なお、図３は、ポリゴンモータ１８３の起動からの経過時間とポリゴンモータ１８３の回転スピード（例えば、単位時間あたりの回転数）との関係を示す図である。図３に示すように、ポリゴンモータ１８３の回転スピードは、時間経過につれて速くなり、一定の回転スピードＶＲにやがて到達する。上述の「回転が安定する」とは、ポリゴンモータ１８３の回転スピードが一定の回転スピードＶＲに到達することを意味しており、換言すれば、ポリゴンモータ１８３の回転スピードの時間変動が小さくなることを意味している。
【００２４】
感光ドラム１１は、有機光導電体（ＯＰＣ）を円周面１１ａに塗布したＯＰＣドラムであり、メインモータ１６１により回転可能となっている。メインモータ１６１の駆動電力は、プリンタ機構制御回路３１に制御されるメインモータドライバ１６２から供給される。
【００２５】
帯電コロナチャージャ１２は、感光ドラム１１の円周面１１ａの近傍に設けられ、円周面１１ａを均一に帯電させる。帯電コロナチャージャ１２は、帯電バイアス用高圧電源（帯電バイアス用ＨＶＰＳ）１２８に接続される。帯電コロナチャージャ１２によって均一に帯電させられた円周面１１ａには、レーザ光で走査されることにより、静電潜像が形成される。
【００２６】
現像器１３は、感光ドラム１１の円周面１１ａの帯電部分にトナーを選択的に吸着させることにより、静電潜像をトナーで現像する。現像器１３の内部に形成された空間に貯留されているトナーは、攪拌棒１３１によって攪拌されるとともに、供給ローラ１３２及び現像ローラ１３３によって円周面１１ａまで搬送される。現像ローラ１３３は、現像バイアス用高圧電源（現像バイアス用ＨＶＰＳ）１３８に接続される。
【００２７】
転写器１４は、記録シートの搬送路ＰＰを挟むように感光ドラム１１に対向して設けられた、感光ドラム１１と同期して協動回転する転写ローラ１４１を備え、現像器１３による現像で得られたトナー画像を感光ドラム１１の円周面１１ａから記録シートへ転写する機能を有する。転写ローラ１４１は、金属製の軸１４１ａの円周面に発泡ウレタン等の導電性の発泡体１４１ｂを設けた円筒形状部材であり、記録シートを感光ドラム１１の円周面１１ａに押し付けつつ、記録シートの裏側（トナー画像が転写される面の裏側）から転写電圧Ｖｔｒを印加可能に構成される。転写ローラ１４１の軸１４１ａは、電流検出部１４７を介して転写バイアス用高圧電源（転写バイアス用ＨＶＰＳ）１４８に接続される。電流検出部１４７は、転写バイアス用高圧電源１４８から転写ローラ１４１へ流入する電流を検出する。なお、電流検出部１４７が検出した電流の電流値は、プリンタ機構制御回路３１に取り込まれる。
【００２８】
プリンタ機構１０における感光ドラム１１の円周面１１ａから記録シート上へのトナー画像の転写は、転写ローラ１４１に転写電圧Ｖｔｒを印加して感光ドラム１１と転写ローラ１４１との間に電位差を発生させ、帯電したトナーを円周面１１ａから記録シート上へ移動させることにより行われる。
【００２９】
上述の帯電バイアス用高圧電源１２８、現像バイアス用高圧電源１３８及び転写バイアス用高圧電源１４８は、プリンタ機構制御回路３１によって制御されている。したがって、プリンタ機構制御回路３１は、帯電コロナチャージャ１２、現像ローラ１３３及び転写ローラ１４１に印加する電圧を決定可能である。これらのうち、転写ローラ１４１に印加する電圧である転写電圧Ｖｔｒは、プリンタ機構制御回路３１の転写電圧決定部３１２により決定される。転写電圧決定部３１２は、所要時間Ｔ及び非ニップ状態において転写バイアス用高圧電源１４８から転写ローラ１４１へ流入する電流（以下では、「試験電流」とも称する）Ｉｔに基づいて、転写電圧Ｖｔｒを決定している。この試験電流Ｉｔは、帯電コロナチャージャ１２による円周面１１ａの帯電が行われておらず、感光ドラム１１と転写ローラ１４１との間に記録シートがニップされていない状態で、転写バイアス用高圧電源１４８を用いて転写ローラ１４１に所定の試験電圧Ｖｔｅｓｔを印加した場合に、転写バイアス用高圧電源１４８から転写ローラ１４１へ流入する電流となっている。
【００３０】
定着器１５は、加熱及び加圧により記録シート上のトナーを記録シートに定着させる。定着器１５は、加熱用のハロゲンランプ１５２が内蔵されたヒートローラ１５１と、ニップ部に導かれた記録シートをヒートローラ１５１のローラ面に圧接するニップローラ１５３とを備える。また、定着器１５では、ヒートローラ１５１のローラ面に接して温度センサ１５４が設けられている。
【００３１】
＜１．３  回転状態検出部＞
以下では、回転状態検出部１８７について、図４を参照しながら説明する。図４は、回転状態検出部１８７及びその周辺の電気的構成を示す図となっている。
【００３２】
図４に示すように、ポリゴンモータ１８３は、Ｕ相、Ｖ相及びＷ相を有する３相直流サーボモータであり、ポリゴンモータドライバ１８４は、当該３相直流サーボモータに駆動電力を供給する直流サーボモータドライバとなっている。ポリゴンモータドライバ１８４は、プリンタ機構制御回路３１から与えられる駆動指示信号に応答して、電源から供給される電力をスイッチングし、抵抗ＲＵ，ＲＶ及びＲＷを介して接続されるポリゴンモータ１８３のＵ相、Ｖ相及びＷ相へ供給する。これにより、プリンタ機構制御回路３１は、ポリゴンモータ１８３の駆動を制御可能になる。
【００３３】
回転状態検出部１８７は、ポリゴンモータ１８３の回転状態を反映する、ポリゴンモータ１８３へ供給される電流を検出することにより、ポリゴンモータ１８３の回転状態を検出する。したがって、時間計測部３１１は、ポリゴンモータ１８３への電流の供給開始からポリゴンモータ１８３へ供給される電流が安定するまでの時間を所要時間Ｔとすることになる。もちろん、ポリゴンモータ１８３の回転軸にロータリエンコーダ等を設けて、回転状態の検出に用いることも妨げられない。
【００３４】
この回転状態検出部１８７では、ポリゴンモータ１８３のＵ相、Ｖ相及びＷ相のいずれか（図４ではＷ相）に電流の検出用の信号線１８８が接続され、信号線１８８の信号レベルがポリゴンモータ１８３へ供給される電流を反映した指標値として出力される。信号線１８８には、高周波数成分からなるノイズを除去するローパスフィルタ１８７ａと、信号をアナログ信号からデジタル信号へ変換するＡ／Ｄ変換器１８７ｂとが挿入されている。
【００３５】
＜１．４  電流検出部＞
以下では、電流検出部１４７について、図５を参照しながら説明する。図５は、電流検出部１４７及びその周辺の電気的構成を示す図となっている。
【００３６】
図５に示すように、電流検出部１４７では、転写バイアス用高圧電源１４８から転写ローラ１４１へ至る電気経路に挿入された抵抗１４７ａの両端に差動増幅器１４７ｂの入力端子対が接続され、差動増幅器１４７ｂの出力にＡ／Ｄ変換器１４７ｃが接続されている。抵抗１４７ａの両端に発生する電圧は、転写バイアス用高圧電源１４８から転写ローラ１４１へ流入する電流に比例するので、差動増幅器１４７ｂの出力電圧は、当該電流に比例することになる。したがって、Ａ／Ｄ変換器１４７ｃからプリンタ機構制御回路３１へ取り込まれるデジタル信号は、当該電流に関する信号となっている。
【００３７】
なお、差動増幅器１４７ｂは、例えば、オペアンプにより構成される負帰還増幅器等によって実現され、入力端子対間の電圧を増幅して出力するように構成される。
【００３８】
＜１．５  転写電圧の決定について＞
転写電圧決定部３１２は、機内温度及び試験電流Ｉｔに応じて転写電圧Ｖｔｒを変化させている。より具体的には、転写電圧決定部３１２は、機内温度が低くなると転写電圧Ｖｔｒを上昇させ、試験電流Ｉｔが増加すると、転写電圧Ｖｔｒを低下させている。
【００３９】
ここで、転写電圧決定部３１２は、機内温度が低くなると所要時間Ｔが長くなる（図６参照）という性質を利用して、所要時間Ｔに基づいて転写電圧Ｖｔｒを決定している。より具体的には、転写電圧決定部３１２は、所要時間Ｔと転写電圧Ｖｔｒとの関係を試験電流Ｉｔの範囲（Ｉｔ＜Ｉ１，Ｉ１≦Ｉｔ＜Ｉ２，Ｉ２≦Ｉｔ）ごとに示した図７に図示すように、機内温度が低くなり所要時間Ｔが長くなると転写電圧Ｖｔｒを上昇させ、試験電流Ｉｔが増加すると転写電圧Ｖｔｒを低下させることにより、転写電圧Ｖｔｒをトナー画像を適切に転写可能な最適電圧に決定している。これは、機内温度が変化すると転写ローラ１４１の電気抵抗が変化して最適な転写電圧Ｖｔｒが変化することと、最適な転写電圧Ｖｔｒに影響を与える、円周面１１ａに塗布された有機光導電体の状態等によって試験電流Ｉｔが変化することとを利用したものである。なお、図７に図示された関係は、あらかじめ実験的に求められている。
【００４０】
このように所要時間Ｔに基づいて転写電圧Ｖｔｒを決定することにより、転写電圧Ｖｔｒの決定のために機内温度測定用の温度センサを設ける必要がなくなり、画像形成装置１の構成を簡略化可能である。ここで、ポリゴンモータ１８３の回転が安定したことの検出は、画像形成装置１が形成する画像の品質を良好に維持するためには不可欠であるので、画像形成装置１において元々可能となっていることが多く、転写電圧Ｖｔｒの決定のためだけに新たな部材を追加する必要はないことが多い。
【００４１】
なお、画像形成装置１では、所要時間Ｔ及び試験電流Ｉｔと転写電圧Ｖｔｒとの関係は、試験電流Ｉｔの範囲（Ｉｔ＜Ｉ１，Ｉ１≦Ｉｔ＜Ｉ２，Ｉ２≦Ｉｔ）ごとに所要時間Ｔと転写電圧Ｖｔｒとの関係を数値的に記述したルックアップテーブル３１３として保持されている。そして、転写電圧決定部３１２は、当該ルックアップテーブル３１３に基づいて転写電圧Ｖｔｒを決定している。これにより、複雑な演算処理が不要になり、転写電圧Ｖｔｒの決定を容易に行うことが可能になる。
【００４２】
＜２  動作＞
図８は、プリンタ機構制御回路３１における転写電圧Ｖｔｒの決定に係る動作を示すフローチャートである。
【００４３】
図８に示すように、転写電圧Ｖｔｒの決定に先立って、時間計測部３１１により所要時間Ｔが決定される（ステップＳ１０１〜Ｓ１０９）。
【００４４】
所要時間Ｔの決定にあたっては、最初に、カウンタＮ及び電流値Ｉｏが「０」に初期化されるとともに、所要時間Ｔを計測するためのタイマが起動される（ステップＳ１０１）。続いて、ポリゴンモータ１８３へ供給される電流の電流値Ｉが回転状態検出部１８７によりサンプリングされて時間計測部３１１に取り込まれ（ステップＳ１０２）、ステップＳ１０２で取り込まれた電流値Ｉと、電流値Ｉｏとの差の絶対値が所定値αより小さいか否かが判定される（ステップＳ１０３）。ステップＳ１０３において、電流値Ｉと電流値Ｉｏとの差の絶対値が所定値αより小さく、ポリゴンモータ１８３の回転が安定した可能性がある場合は、ステップＳ１０６への移行が行われ、電流値Ｉと電流値Ｉｏとの差が所定値αより大きく、ポリゴンモータ１８３の回転が安定していない場合は、ステップＳ１０４への移行が行われる。
【００４５】
ステップＳ１０４では、ステップＳ１０２で取り込まれた電流値Ｉによって電流値Ｉｏが置きかえられ、続くステップＳ１０５では、カウンタＮがインクリメントされ、しかる後に、ステップＳ１０２への移行が行われる。したがって、ポリゴンモータ１８３の回転が安定していない間は、カウンタＮがインクリメントされながら、電流値Ｉのサンプリングが繰り返されることになる。
【００４６】
一方、ステップＳ１０６では、ステップＳ１０２で取り込まれた電流値Ｉによって電流値Ｉｏが置きかえられ、続くステップＳ１０７では、カウンタＮが所定値（図８では「１２７」）に達しているか否かが判定される。ステップＳ１０７において、カウンタＮが所定値に達していない場合は、カウンタＮがインクリメントされた後に（ステップＳ１０８）、ステップＳ１０２への移行が行われ、カウンタＮが所定値に達している場合、ステップＳ１０９への移行が行われる。このステップＳ１０７は、ポリゴンモータ１８３の起動からの経過時間が短いうちに、ノイズ等の影響によりポリゴンモータ１８３の回転が安定したと誤判定されることを防止するために設けられている。
【００４７】
ステップＳ１０７に続いて、タイマが停止され（ステップＳ１０９）、転写電圧決定部３１２が、タイマにより計測された所要時間Ｔ及び試験電流Ｉｔでルックアップテーブル３１３を参照し（ステップＳ１１０）、転写電圧Ｖｔｒを決定する（ステップＳ１１１）。しかる後に、転写バイアス電圧高圧電源１４８から転写ローラ１４１に印加される転写電圧ＶｔｒがステップＳ１１１で決定された転写電圧Ｖｔｒに設定され（ステップＳ１１２）、転写電圧Ｖｔｒの決定に係る動作は完了する。
【図面の簡単な説明】
【００４８】
【図１】本発明の実施形態に係る画像形成装置１の全体構成を示すブロック図である。
【図２】プリンタ機構１０及びプリンタ機構制御回路３１のより詳細な構成を示す図である。
【図３】ポリゴンモータ１８３の起動からの経過時間とポリゴンモータ１８３の回転スピードとの関係を示す図である。
【図４】回転状態検出部１８７及びその周辺の電気的構成を示す図である。
【図５】電流検出部１４７及びその周辺の電気的構成を示す図である。
【図６】所要時間Ｔと機内温度との関係を示す図である。
【図７】所要時間Ｔ及び試験電流Ｉｔと転写電圧Ｖｔｒとの関係を示す図である。
【図８】プリンタ機構制御回路３１における転写電圧Ｖｔｒの決定に係る動作を示すフローチャートである。
【符号の説明】
【００４９】
１  画像形成装置
１０  プリント機構
１１  感光ドラム
１１ａ  円周面
１４  転写器
１８  ＬＳＵ
１４１  転写ローラ
１４７  電流検出部
１４８  転写バイアス用高圧電源
１８２  ポリゴンミラー
１８３  ポリゴンモータ
１８７  回転状態検出部
３１  プリント機構制御回路
３１１  時間計測部
３１２  転写電圧決定部
３１３  ルックアップテーブル
【図１】
2006317523.tif 000003
【図２】
2006317523.tif 000004
【図３】
2006317523.tif 000005
【図４】
2006317523.tif 000006
【図５】
2006317523.tif 000007
【図６】
2006317523.tif 000008
【図７】
2006317523.tif 000009
【図８】
2006317523.tif 000010